(57)【特許請求の範囲】
【請求項１】
底部を囲むように配設された側壁を、底部に重なるように折り畳むようにした折り畳みコンテナーにおいて、板状の底部側部と底板とにより形成される隅部に、補強部材が配設されているとともに、前記補強部材の先端が、前記底板の下面に形成された底部嵌合部を構成する底部側部側リブのうち、少なくとも、一番外側に位置する底部側部側リブまで延在されており、且つ、前記補強部材の上面が、略垂直に立てられた前記側壁の下部水平枠の下面に当接或いは接近して位置するように構成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来、平面形状が略長方形に形成された、合成樹脂で一体成形された底部と、底部の相対する長辺部に、ヒンジ部を介して連結された、合成樹脂で一体成形された長側壁と、同じく上記底部の相対する短辺部に、ヒンジ部を介して連結された、合成樹脂で一体成形された短側壁とからなる折り畳みコンテナーが知られており、箱型に組み立てられた状態から、短側壁を倒して底部の上に重ね、次いで、長側壁を倒して底部と短側壁の上に重ねることにより、折り畳むように構成されている。
【０００３】
【発明が解決しようとする課題】
上述した折り畳みコンテナーは、特に、底部の周辺部が、強度的に弱く、底部の剛性や強度が低いために、底部が損傷しやすいという問題があった。
【０００４】
本発明の目的は、上述した従来の折り畳みコンテナーが有する課題を解決することにある。
【０００５】
【課題を解決するための手段】
本発明は、上述した目的を達成するために、底部を囲むように配設された側壁を、底部に重なるように折り畳むようにした折り畳みコンテナーにおいて、板状の底部側部と底板とにより形成される隅部に、補強部材が配設されているとともに、前記補強部材の先端が、前記底板の下面に形成された底部嵌合部を構成する底部側部側リブのうち、少なくとも、一番外側に位置する底部側部側リブまで延在されており、且つ、前記補強部材の上面が、略垂直に立てられた前記側壁の下部水平枠の下面に当接或いは接近して位置するように構成したものである。
【０００６】
【実施例】
以下に、本発明の実施例について説明するが、本発明の趣旨を越えない限り何ら、本実施例に限定されるものでない。
【０００７】
１は、平面形状が略長方形状の底部であり、底部１の相対する長辺部には、後述するヒンジ部を介して長側壁２が連結されており、また、底部１の相対する短辺部には、同じく、ヒンジ部を介して短側壁３が連結されている。
【０００８】
図１に示されているように、箱型に組み立てられた状態の折り畳みコンテナーを折り畳むには、先ず最初に、短側壁３を折り畳みコンテナーの内側に倒して、図２に示されているように、底部１の上に重ねる。次いで、同じく、長側壁２を折り畳みコンテナーの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーを箱型に組み立てる。
【０００９】
次に、主として、図４〜図７を用いて、底部１について説明する。
【００１０】
底部１は、底板１ａを有しており、底板１ａの長辺部には、側壁（以下、単に、底部長側部という。）１ｂが形成されており、底部長側部１ｂは、外壁１ｂ１と該外壁１ｂ１の内面の中程に形成された段部１ｂ２とを有している。
【００１１】
底部長側部１ｂの段部１ｂ２の内側に位置する上面には、略垂直に上方に延在する板状片１ｃ１と、該板状片１ｃ１の上部に一体成形された、外壁１ｂ１方向に延在する半円筒状のフック１ｃ２とからなる略逆Ｊ字状のヒンジ雌部１ｃが形成されている。ヒンジ雌部１ｃは、底部長側部１ｂと略同じ高さに形成されており、ヒンジ雌部１ｃのフック１ｃ２の先端と、底部長側部１ｂの外壁１ｂ１の内面との間には、所定の間隙が形成されている。ヒンジ雌部１ｃは、底部長側部１ｂに沿って、適当数、形成されており、本実施例においては、底部長側部１ｂの両端部付近に２個ずつ配設され、そして、底部長側部１ｂの中心線を挟んで１個ずつ配設されており、合計６個のヒンジ雌部１ｃが形成されている。
【００１２】
１ｄは、底部長側部１ｂの外壁１ｂの内面と、段部１ｂ２の上面とにより形成される隅部に形成された、板状或いはブロック状の補強部材であり、補強部材１ｄの上端は、底部長側部１ｂの上端に略一致するように構成されている。このような板状或いはブロック状の補強部材１ｄを、底部長側部１ｂの外壁１ｂの内面と段部１ｂ２の上面とにより形成される隅部に形成することにより、板状に形成された外壁１ｂの上部の強度を高めることができ、従って、外壁１ｂが損傷されるようなことを防止することができる。
【００１３】
底部長側部１ｂの両端部には、底部長側部１ｂを超えて、上方に延在する端部係止ブロック１ｅが形成されており、端部係止ブロック１ｅは、載置面１ｅ１と、載置面１ｅ１より上方に突出した突出部１ｅ２とを有している。突出部１ｅ２は、底部長側部１ｂに沿って延在する突出部１ｅ２’と、該突出部１ｅ２’に直角で、且つ、底板１ａの短辺部に沿って形成された側壁（以下、単に、底部短側部という。）１ｆ方向に延在する突出部１ｅ２”とからなり、平面形状がほぼＬ字状に形成されている。
【００１４】
底板１ａの下面には、折り畳みコンテナーを段積みした際に、下に位置する折り畳みコンテナーの開口部に嵌合される、底板１ａより、所定の幅ｗ１だけ、内側に位置する底部嵌合部１’が形成されている。折り畳まれた状態の折り畳みコンテナー同士を段積みする際には、折り畳まれた状態の下に位置する折り畳みコンテナーの底部１に形成された端部係止ブロック１ｅの載置面１ｅ１に、上に位置する折り畳まれた状態の折り畳みコンテナーの底部嵌合部１’が嵌合され、載置されるとともに、底部嵌合部１’の外側に位置する底板１ａの下面１ａ’が、端部係止ブロック１ｅの突出部１ｅ２に載置されるように構成されている。底部嵌合部１’は、底部長側部１ｂに平行で、所定の間隔で配設された底部長側部側リブ１ａ１と、同じく、底部短側部１ｆに平行で、所定の間隔で配設された底部短側部側リブ１ａ２とが、交差するように形成されている。
【００１５】
底部１の底部短側部１ｆは、底板１ａに対して略垂直な板状に形成されており、底部長側部１ｂより低く形成されている。底部短側部１ｆに接近した底板１ａには、底部短側部１ｆに沿って、所定の間隔で、上述したと同様のヒンジ雌部１ｃが形成されており、本実施例においては、底部短側部１ｆの両端部付近に、それぞれ２個ずつ配設されており、合計４個のヒンジ雌部１ｃ配設されている。
【００１６】
底部短側部１ｆの両端部に形成された台座１ｇ１には、透孔１ｇ２が穿設された略方形状の嵌合枠部１ｇが立設されている。嵌合枠部１ｇは、底部長側部１ｂより低く、底部短側部１ｆより高く形成されており、透孔１ｇ２には、後述する短側壁３に形成された嵌合突起が嵌合するように構成されている。
【００１７】
１ｈは、底部短側部１ｆと底板１ａとにより形成される隅部に形成された板状或いはブロック状の補強部材であり、補強部材１ｈの上端は、底部短側部１ｆの上端に略一致するように構成されている。補強部材１ｈの先端１ｈ２は、底板１ａの下面に形成された底部嵌合部１’を構成する底部短側部側リブ１ａ２のうち、少なくとも、一番外側に位置する底部短側部側リブ１ａ２’まで延在するように構成されている。本実施例においては、補強部材１ｈは、底部短側部１ｆの両端部付近に接近して配設された、それぞれ、２個のヒンジ雌部１ｃ間に１個及び上記の２個のヒンジ雌部１ｃのうち、底部短側部１ｆの中央部寄りに配設されたヒンジ雌部１ｃに接近して１個、配設されており、合計４個の補強部材１ｈが形成されている。
【００１８】
上述したように、底部短側部１ｆと底板１ａとにより形成される隅部に、板状或いはブロック状の補強部材１ｈを配設することにより、板状に形成された、強度的に弱い底部短側部１ｆの強度を高めることができるとともに、下面に、互いに交差する底部長側部側リブ１ａ１と底部短側部側リブ１ａ２とからなる底部嵌合部１’が形成されていない、底部嵌合部１’の外側に位置する底板１ａの強度を高めることができる。従って、全体として、底部１ひいては折り畳みコンテナー全体の強度や剛性を高めることができる。また、上記の補強部材１ｈが、ヒンジ雌部１ｃに接近して配設されているので、ヒンジ雌部１ｃを補強することもできる。
【００１９】
１ｉは、底部短側部１ｆと底板１ａとにより形成される隅部の中央部に形成された補強ブロックであり、相対する底部短側部１ｆの中央部付近に、それぞれ、配設されている。
【００２０】
次に、主として、図８〜図１０を用いて、短側壁３について説明する。
【００２１】
短側壁３は、横長の略方形状の板状部３ａと、板状部３ａの下端から外方向に向かって延在する下部水平枠３ｂを有しており、下部水平枠３ｂの下面には、底部１の底部短側部１ｆに沿って形成されたヒンジ雌部１ｃに対応して、ヒンジ雄部３ｃが形成されている。ヒンジ雄部３ｃは、下部水平枠３ｂの下面に垂下され、板状部３ａに対して直角な一対の垂直片３ｃ１と、一対の垂直片３ｃ１間に配設された水平ピン３ｃ２とから構成されている。
【００２２】
下部水平枠３ｂの下端中央部には、板状部３ａを、下部水平枠３ｂを超えて下方に延在することにより形成された、ヒンジ雄部３ｃと略同じ高さを有する横長の方形状の下部板状部３ｄが形成されている。下部板状部３ｄの中央部付近には、上述した底部１の底部短側部１ｆと底部１ａとにより形成される隅部に形成された補強ブロック１ｉが挿入可能な下方が開放された凹部３ｅが形成されている。凹部３ｅに隣接する下部板状部３ｄの外面と下部水平枠３ｂとにより形成される隅部には、ヒンジ雄部３ｃの垂直片３ｃ１と同様の補強板３ｆが形成されており、また、下部板状部３ｄの両端部付近の外面と下部水平枠３ｂとにより形成される隅部等にも、適宜、必要に応じて、ヒンジ雄部３ｃの垂直片３ｃ１と同様の補強板３ｆが形成されている。
【００２３】
板状部３ａの上端には、上部水平枠３ｇが形成されており、また、下部水平枠３ｂと上部水平枠３ｇの両端を連結する垂直枠３ｈが形成されている。折り畳みコンテナーが組み立てられて、短側壁３が底部１に対して垂直に立てられた際には、板状部３ａの内面３ａ１と、底部１の底部短側部１ｆに沿って形成されたヒンジ雌部１ｃの板状片１ｃ１の内面とは、略面一になるように構成されており、折り畳みコンテナーが組み立てられた状態において、折り畳みコンテナーの短側壁３側の内面には、突出部が形成されないように構成されている。そして、折り畳みコンテナーが組み立てられた状態においては、下部水平枠３ｂ、上部水平枠３ｇ及び垂直枠３ｈ等は、底部１の底部短側部１ｆを超えて、外側に突出しないように構成されている。
【００２４】
短側壁３の垂直枠３ｈの外側には、係合枠部４が形成されており、板状部３ａの延長として形成されている係合枠部４の板状部４ａの上部には、板状部４ａに垂直に外側に突出した上部嵌合突起４ｂが突設されており、また、上部嵌合突起４ｂの下方には、先端に係止突起４ｃ１が向き合うように形成された、一対の係止片４ｃが、板状部４ａに垂直に略水平方向に延在されている。更に、係止片４ｃの下方には、垂直枠３ｈに対して垂直に、外方向に延在する中間嵌合凸部４ｄが形成されており、更にまた、中間嵌合凸部４ｄの下方には、平べったい下部係合突起４ｅが形成されている。下部係合突起４ｅの下方には、箱状の下部嵌合凸部４ｆが形成されており、更に、係合枠部４の下端には、下端係合突起４ｇが形成されている。なお、Ｈは、短側壁３の上方に形成された、作業者の指が挿入可能な持ち手開口部である。
【００２５】
次に、主として、図１１及び図１２を用いて長側壁２について説明する。
【００２６】
長側壁２は、横長の略方形状の板状部２ａと、板状部２ａの下端から外方向に向かって延在する下部水平枠２ｂを有しており、下部水平枠２ｂの下面には、底部１の底部長側部１ｂに沿って形成されたヒンジ雌部１ｃに対応して、ヒンジ雄部２ｃが形成されている。ヒンジ雄部２ｃは、上述した短側壁３に形成されたヒンジ雄部３ｃと同様に、下部水平枠２ｂの下面に垂下され、板状部３ａに対して直角な一対の垂直片２ｃ１と、一対の垂直片２ｃ１間に配設された水平ピン２ｃ２とから構成されている。
【００２７】
板状部２ａの外面２ａ１には、板状部２ａの上端から外方向に向かって延在する上部水平枠２ｄと下部水平枠２ｂを、その両端部付近で連結する垂直リブ２ｅや水平リブ２ｆが、適宜、形成されている。折り畳みコンテナーが組み立てられ、長側壁２が、底部１に対して、垂直に立てられた際には、板状部２ａの内面２ａ２は、底部１の底部長側部１ｂを構成する段部１ｂ２の垂直面や、底部長側部１ｂに沿って配設されたヒンジ雌部１ｃの板状片１ｃ１の内面等と、略面一になるように構成されており、折り畳みコンテナーが組み立てられた状態において、折り畳みコンテナーの長側壁２側の内面に、突出部が形成されないように構成されている。そして、折り畳みコンテナーが組み立てられた状態においては、上部水平枠２ｄや下部水平枠２ｂや垂直リブ２ｅや水平リブ２ｆ等が、底部１の底部長側部１ｂを超えて、外側に突出しないように構成されている。
【００２８】
長側壁２の両端部には、板状部２ａに直交する方向で、且つ、内側に延在する係合枠部５が形成されており、係合枠部５の上部には、上部嵌合孔５ａが穿設されており、上部嵌合孔５ａには、折り畳みコンテナーを組み立てた際に、短側壁３の係合枠部４に形成された上部嵌合突起４ｂが挿入されるように構成されている。
【００２９】
また、上部嵌合孔５ａの下方に穿設された２つの透孔５ｂの間には、水平で、横長の係合突起５ｃが、係合枠部５の内面５’に突設されている。図１３や図１４に示されているように、係合突起５ｃは、先端部が先細り状の膨出部５ｃ１と、膨出部５ｃ１から係合枠部５の外面５”に向かって延在する水平部５ｃ２とにより、横向きの茸状に形成されている。折り畳みコンテナーを組み立てた際には、短側壁３の係合枠部４に形成された一対の係止片４ｃの間に、係合突起５ｃの膨出部５ｃ１が挿入され、係止片４ｃの先端部が、係合突起５ｃの上下に穿設された透孔５ｂに挿入されるとともに、短側壁３の係合枠部４に形成された係止片４ｃの係止突起４ｃ１が、長側壁２の係合枠部５に形成された係合突起５ｃの膨出部５ｃ１の背面に係止されるように構成されている。
【００３０】
更に、係合突起５ｃの下方には、係合枠部５を一部切り欠くことにより形成された嵌合凹部５ｄが形成されている。折り畳みコンテナーを組み立てた際には、嵌合凹部５ｄには、短側壁３の係合枠部４に形成された中間嵌合凸部４ｄが嵌合するように構成されている。
【００３１】
更に、嵌合凹部５ｄの下方には、下部嵌合孔５ｅが穿設されており、  折り畳みコンテナーを組み立てた際には、下部嵌合孔５ｅには、短側壁３の係合枠部４に形成された下部係合突起４ｅが挿入されるように構成されている。
【００３２】
長側壁２の下部両端部には、下部水平枠２ｂより一段高い水平枠２ｇと下部水平枠２ｂ付近の垂直リブ２ｅとにより形成された切り欠き部２ｈが形成されており、この切り欠き部２ｈには、底部１に長側壁２を取り付け、底部１に対して、長側壁２を垂直に立てた際に、底部１に形成された端部係止ブロック１ｅが、長側壁２に干渉することなく入り込むことができるように構成されている。そして、長側壁２に上方から負荷がかかった際には、底部１に形成された端部係止ブロック１ｅの上面に、長側壁２の下部両端部に形成された切り欠き部２ｈを形成する水平枠２ｇが、面接触状態で接触し、長側壁２にかかった負荷を、負担することができるように構成されている。
【００３３】
短側壁３の係合枠部４に形成された箱状の下部嵌合凸部４ｆは、折り畳みコンテナーが箱型に組み立てられた際に、長側壁２側の係合枠部５の下端と、底部１の底部短側部１ｆの両端部に嵌合枠部１ｇの上端との間に形成される間隙Ｄに挿入されるように形成されている。また、短側壁３の係合枠部４に形成された下端係合突起４ｇは、底部１の底部短側部１ｆの両端部に形成された嵌合枠部１ｇの透孔１ｇ２に嵌合されるように構成されている。
【００３４】
底部１に長側壁２をヒンジ結合させるには、長側壁２を、板状部２ａの内面２ａ２が底部１側に位置するように配置するとともに、上方から下降させて、長側壁２に形成されたヒンジ雄部２ｃの水平ピン２ｃ２を、底部長側部１ｂの外壁１ｂ１とヒンジ雌部１ｃの半円筒状フック１ｃ２との間に形成された間隙を通過させることにより、長側壁２に形成されたヒンジ雄部２ｃの水平ピン２ｃ２を、底部１の底部長側部１ｂのに沿って配設されたヒンジ雌部１ｃの半円筒状フック１ｃ２に係合させることによりヒンジ結合させる。
【００３５】
同様に、底部１に短側壁３をヒンジ結合させるには、短側壁３を、板状部３ａの内面３ａ１が底部１側に位置するように配置するとともに、上方から下降させて、短側壁３に形成されたヒンジ雄部３ｃの水平ピン３ｃ２を、底部短側部１ｆとヒンジ雌部１ｃの半円筒状フック１ｃ２との間に形成された間隙を通過させることにより、短側壁３に形成されたヒンジ雄部３ｃの水平ピン３ｃ２を、底部１の底部短側部１ｆのに沿って配設されたヒンジ雌部１ｃの半円筒状フック１ｃ２に係合させることによりヒンジ結合させる。
【００３６】
上述したようにして、折り畳みコンテナーに構成部材である底部１に、長側壁２及び短側壁３をヒンジ連結して、折り畳みコンテナーを組み立てることができる。
【００３７】
上述したように、ヒンジ部を構成する底部１のヒンジ雌部１ｃと長側壁２のヒンジ雄部２ｃを連結することにより、底部１に、長側壁２が結合されることになるが、このように、底部１と長側壁２が組み立てられる際に、底部長側部１ｂの外壁１ｂの内面と段部１ｂ２の上面とにより形成される隅部に形成された補強部材１ｄを挟持するように、長側壁２の下部水平枠２ｂの下面には、ヒンジ雄部２ｃを構成する垂直片２ｃ１と同様に垂直片を配設することが好ましい。このように構成することにより、長側壁２の底部長側部１ｂ方向へのガタつきが防止でき、折り畳みコンテナーの安定した組み立て状態を維持することができる。
【００３８】
また、上述した補強部材１ｄの上面が、略垂直に立てられた長側壁２の下部水平枠２ｂの下面に当接或いは接近して位置するように構成されているので、組み立てられた状態の折り畳みコンテナーを段積みした際に、長側壁２に上方から負荷がかかっても、このような負荷を、長側壁２の下部水平枠２ｂに当接する補強部材１ｄが負担することができるので、底部長側部１ｂが変形したり、損傷するようなことが防止できる。
【００３９】
【発明の効果】
本発明は、以上説明した構成を有しているので、以下に記載する効果を奏するものである。
【００４０】
底部に重なるように折り畳むようにした折り畳みコンテナーにおいて、板状の底部側部と底板とにより形成される隅部に、補強部材を配設したので、板状に形成された、強度的に弱い底部側部の強度を高めることができ、底部ひいては折り畳みコンテナー全体の強度や剛性を高めることができる。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの底部の平面図である。
【図６】図６は本発明の折り畳みコンテナーの底部の部分斜視図である。
【図７】図７は図６の正面図である。
【図８】図８は本発明の折り畳みコンテナーの短側壁の斜視図である。
【図９】図９は同じく本発明の折り畳みコンテナーの短側壁の斜視図である。
【図１０】図１０は本発明の折り畳みコンテナーの短側壁の部分斜視図である。
【図１１】図１１は本発明の折り畳みコンテナーの長側壁の斜視図である。
【図１２】図１２は本発明の折り畳みコンテナーの長側壁の部分斜視図である。
【図１３】図１３は本発明の折り畳みコンテナーの長側壁の係合枠部と短側壁の係合枠部とが係合される前の長側壁と短側壁の長側壁に沿った垂直断面図である。
【図１４】図１４は本発明の折り畳みコンテナーの長側壁の係合枠部と短側壁の係合枠部とが係合された状態の長側壁と短側壁の長側壁に沿った垂直断面図である。
【符号の説明】
１・・・・・・・・・・・・底部
１ａ・・・・・・・・・・・底板
１ｂ・・・・・・・・・・・底部長側部
１ｆ・・・・・・・・・・・底部短側部
１ｈ・・・・・・・・・・・補強部材
２・・・・・・・・・・・・長側壁
３・・・・・・・・・・・・短側壁
４・・・・・・・・・・・・短側壁の係合枠部
５・・・・・・・・・・・・長側壁の係合枠部
【図１】
0004565588.tif 000002
【図２】
0004565588.tif 000003
【図３】
0004565588.tif 000004
【図４】
0004565588.tif 000005
【図５】
0004565588.tif 000006
【図６】
0004565588.tif 000007
【図７】
0004565588.tif 000008
【図８】
0004565588.tif 000009
【図９】
0004565588.tif 000010
【図１０】
0004565588.tif 000011
【図１１】
0004565588.tif 000012
【図１２】
0004565588.tif 000013
【図１３】
0004565588.tif 000014
【図１４】
0004565588.tif 000015